(57)【特許請求の範囲】
【請求項１】
非直線性を有し、この非直線性が入力信号の平均電圧変化に応じて変化する非直線性装置の非直線性を補償する非直線性補償器であって、
前記非直線性装置への入力信号の平均電圧を検出する平均電圧検出手段と、
予め前記非直線性装置が有する非直線性とは逆の非直線性を補償特性として有し、前記平均電圧検出手段で検出された平均電圧に基づいて、前記非直線性装置の平均電圧変化による非直線性の変化に合わせて前記補償特性を補正し、当該補償特性を前記入力信号に与えて前記非直線性装置へ出力する可変非直線性手段とを具備することを特徴とする非直線性補償器。
【請求項２】
前記平均電圧検出手段及び前記可変非直線性手段は、デジタル処理によりそれぞれの処理を行うことを特徴とする請求項１記載の非直線性補償器。
【請求項３】
さらに、前記入力信号をデジタル信号に変換して前記平均電圧検出手段及び前記可変非直線性手段に出力するアナログ／デジタル変換器、前記平均電圧検出手段及び前記可変非直線性手段から出力されるデジタル信号をアナログ信号に変換して前記非直線性装置に出力するデジタル／アナログ変換器の少なくともいずれか一方を備えることを特徴とする請求項２記載の非直線性補償器。
【請求項４】
前記可変非直線性手段は、前記入力信号の平均電圧に対応付けられた複数の補償特性を格納する補償特性格納部を備え、前記平均電圧検出手段で検出された平均電圧に対応する補償特性を前記補償特性格納部から読み出すことで前記補償特性を補正するようにしたことを特徴とする請求項１記載の非直線性補償器。
【発明の詳細な説明】
【０００１】
【産業上の利用分野】
この発明は、例えばテレビジョン送信機の特性補償装置に用いられる非直線性補償器に関する。
【０００２】
【従来の技術】
一般に、テレビジョン送信機の映像電力増幅器のように大電力の振幅変調信号を扱う電力増幅器においては、その非直線性の変化が特性を劣化させるので、非直線性を補償する非直線性補償器を使用している。
【０００３】
すなわち、上記の電力増幅器の終段増幅回路は、電力効率を上げるために、ＡＢ級動作をさせているのが普通である。ＡＢ級動作をさせると、信号の平均電圧変化により増幅素子の消費電力が変化し、素子の温度が変動して非直線性が変化する。特にテレビジョン送信機においては、この非直線性の変化は出力変動やＤＧ特性の変化として現れる。
【０００４】
このような出力変動を補償するためには、一般に図２に示すような出力変動補償回路が用いられている。
図２において、入力端子１に映像信号が入力されると、分配器２で入力信号の一部が取り出され、平均電圧検出回路３で分配された一部の信号の平均電圧が検出される。可変利得増幅器４の利得は、平均電圧検出回路３で検出された入力信号の平均電圧によって制御される。よって、分配器２を介して可変利得増幅器４に入力された映像信号は、平均電圧により決定された利得で増幅されて出力端子５に供給される。
【０００５】
しかしながら、上記のような出力変動補償回路では、入力信号の平均電圧に応じて信号の振幅を変化させており、直線性は変化させていない。したがって、電力増幅器の非直線性の変化は補償できない。この結果、例えば、出力のピーク電圧の変動を補償するように回路を設定すると、ぺデスタル電圧の補償量は必要な量との間に差が生じることになり、正確な補償をすることができない。
【０００６】
また、信号の平均電圧変動による電力増幅器のＤＧの変化に対し、逆特性の信号を生成して特性を補償する方法が考えられているが、今日の技術では困難である。
【０００７】
【発明が解決しようとする課題】
以上述べたように、従来では送信信号の平均電圧変化による電力増幅器の出力変動、ＤＧ特性の変化等の非直線性の変化を補償することができず、送信装置の性能劣化の要因となっていた。
この発明は上記の課題を解決するためになされたもので、信号の平均電圧による電力増幅器の出力変動、ＤＧ特性の変化等の非直線性の変化を正確に補償することができ、送信装置の性能向上に寄与することのできる直線性補償器を提供することを目的とする。
【０００８】
【課題を解決するための手段】
上記問題点を解決するためにこの発明に係る非直線性補償器は、非直線性を有し、この非直線性が入力信号の平均電圧変化に応じて変化する非直線性装置（例えば電力増幅器）の非直線性を補償するものであって、前記非直線性装置への入力信号の平均電圧を検出する平均電圧検出手段と、予め前記非直線性装置が有する非直線性とは逆の非直線性を補償特性として有し、前記平均電圧検出手段で検出された平均電圧に基づいて、前記非直線性装置の平均電圧変化による非直線性の変化に合わせて前記補償特性を補正し、当該補償特性を前記入力信号に与えて前記非直線性装置へ出力する可変非直線性手段とを具備して構成するようにした。
【０００９】
【作用】
上記のように構成された非直線性補償器では、可変非直線性手段において、例えば入力信号の各平均電圧に応じた、電力増幅器の非直線性の逆特性データを格納しておき、平均電圧検出手段で得られた入力信号の平均値に応じて補償特性が選択されるようにしている。これにより、入力信号の平均電圧に応じて補正された補償特性が設定され、可変非直線性手段に入力された信号はこの補償特性に従って変換されるようになり、入力信号の平均電圧が変化して電力増幅器の非直線性が変化しても、変化後の非直線性を打ち消すことができる。
【００１０】
【実施例】
以下、図面を参照してこの発明の実施例について説明する。
図１はこの発明に係る非直線性補償器の構成を示すもので、入力端子６にはデジタル化された送信信号が入力される。この入力信号の一部は分配器７で抽出され、平均値検出回路８に入力され、平均値が求められる。
【００１１】
この平均値検出回路８の出力は可変非直線性回路９に入力される。この可変非直線性回路９は平均値検出回路８の出力値に応じて非直線特性を選択する。一方、分配器７のもう一方の出力は直接可変非直線性回路９に入力され、選択された非直線特性で変換されて出力端子１０に出力される。
【００１２】
すなわち、電力増幅器は非直線性を有しているが、予めその逆特性を持った信号を生成して電力増幅器に入力すると、その非直線性を打ち消すことができる。電力増幅器の非直線性は入力信号の平均電圧によって変化する。
【００１３】
そこで、入力信号の各平均電圧に応じた、電力増幅器の非直線性の逆特性データを可変非直線性回路９に記憶しておく。この結果、平均値検出回路８で得られた入力信号の平均値に応じて可変非直線性回路９の非直線性が選択されるようになり、入力信号の平均電圧に応じた補償特性が設定される。可変非直線性回路９に入力された信号はこの補償特性に従って変換され、電力増幅器の非直線性を打ち消すように働く。
【００１４】
したがって、上記構成によれば、信号の平均電圧による電力増幅器の非直線性の変化を正確に補償することができ、これによって送信装置の性能向上を図ることができる。また、簡単な回路構成であることから、安価で特性変化の大きい電力増幅器を使用することができるようになり、より安価な装置を提供することができる。
【００１５】
尚、この発明は上記の実施例に限定されるものではない。例えば可変非直線性回路９は、例えばＲＯＭ（読出し専用メモリ）で構成し、予め非直線性のデータを記録しておいてもよい。また、ＲＡＭ（ランダム・アクセス・メモリ）で構成し、必要なデータを自由に書き替えられるようにしてもよい。
【００１６】
また、分配器７の前にＡ／Ｄ変換器を配置し、可変非直線性回路９の後にＤ／Ａ変換器を配置すれば、アナログ信号を扱うようにすることもできる。
その他、この発明の要旨を変更しない範囲で種々変形しても実施可能であることはいうまでもない。
【００１７】
【発明の効果】
以上述べたようにこの発明によれば、信号の平均電圧による電力増幅器の出力変動、ＤＧ特性の変化等の非直線性の変化を正確に補償することができ、送信装置の性能向上に寄与することのできる直線性補償器を提供することができる。
【図面の簡単な説明】
【図１】  この発明に係る非直線性補償器の一実施例の構成を示すブロック回路図である。
【図２】  従来の電力増幅器に使用されている出力変動補償回路の構成を示すプブロック図である。
【符号の説明】
１…入力端子、２…分配器、３…平均電圧検出回路、４…可変利得増幅器、５…出力端子、６…入力端子、７…分配器、８…平均値検出回路、９…可変非直線性回路、１０…出力端子。
【図１】
0003719717.tif 000002
【図２】
0003719717.tif 000003